(57)【特許請求の範囲】
【請求項１】
建物の壁面部において昇降する作業用ゴンドラにおけるゴンドラ本体の建物側に、折曲可能な幕状の飛散防止部材を、その上端部がゴンドラ本体に支持され、その下側部を昇降可能にして備え、
建物のバルコニーの床面と天井面との間に取外し可能に設置する一対の支柱と、該一対の支柱をバルコニーの内側部と外側部に立設して、この一対の支柱間にわたって張設した飛散防止部材とからなる飛散防止幕部材をバルコニーに配置し、
更に、前記バルコニーの外側部に立設する支柱の上部において、前記一対の支柱間に設けた飛散防止部材よりも建物の外側方向へ突出する補助飛散防止部材を設けたことを特徴とする建物における飛散防止装置。
【請求項２】
前記ゴンドラ本体に備える飛散防止部材が上部の飛散防止部材と、下部の飛散防止部材とからなり、その上部の飛散防止部材の上端部がゴンドラ本体の上部に支持され、下部の飛散防止部材の上端部がゴンドラ本体の下部に支持されていることを特徴とする請求項１記載の建物における飛散防止装置。
【請求項３】
前記ゴンドラ本体に備えた飛散防止部材の下端部に、その下端縁に沿って棒状部材を設けたことを特徴とする請求項１又は２記載の建物における飛散防止装置。
【請求項４】
前記ゴンドラ本体に備える飛散防止部材を、ゴンドラ本体の左右方向において複数設けたことを特徴とする請求項１又は２又は３記載の建物における飛散防止装置。
【請求項５】
前記ゴンドラ本体に備えた飛散防止部材をゴンドラ本体内から昇降させる昇降手段を設けたことを特徴とする請求項１乃至４のいずれか１項に記載の建物における飛散防止装置。
【請求項６】
前記ゴンドラ本体に備えた前記飛散防止部材の下側部を建物の手摺りの内側に配置することを特徴とする請求項１乃至５のいずれか１項に記載の建物における飛散防止装置。
【発明の詳細な説明】
【技術分野】
【０００１】
本発明は、建物における飛散防止装置に関するもので、詳しくは集合住宅等における建物の外壁面の洗浄、補修、塗装等の作業において発生した飛散物の建物外部への飛散を防止する飛散防止装置に関する。
【背景技術】
【０００２】
従来、マンション等の集合住宅における建物壁面の洗浄、補修、塗装等の作業において、その建物の周方向全体に架台を昇降可能に設けるとともに該架台を屋上からワイヤロープによって昇降するようにし、かつ、該架台の外端部と屋上部間に養生ネットを張り、この養生ネットと建物壁面との空間に作業用ゴンドラを昇降可能に配置し、この作業用ゴンドラから、前記の洗浄、補修、塗装等の作業を行なうようにして、建物からの飛散物の建物外部への飛散を前記養生ネットで防止する飛散防止装置が知られている。      
【発明の概要】
【発明が解決しようとする課題】
【０００３】
前記従来の飛散防止装置においては、建物の左右方向の略全長に亘る架台を設け、かつ、建物全体を覆うネットを必要とすることから、飛散防止設備が大型となり、その設置の時間、手間、費用が多くなる問題がある。
【０００４】
そこで本発明は、前記の問題点を解決する建物における飛散防止装置を提供することを目的とする。
【課題を解決するための手段】
【０００５】
前記の課題を解決するために、請求項１記載の発明は、建物の壁面部において昇降する作業用ゴンドラにおけるゴンドラ本体の建物側に、折曲可能な幕状の飛散防止部材を、その上端部がゴンドラ本体に支持され、その下側部を昇降可能にして備え、
建物のバルコニーの床面と天井面との間に取外し可能に設置する一対の支柱と、該一対の支柱をバルコニーの内側部と外側部に立設して、この一対の支柱間にわたって張設した飛散防止部材とからなる飛散防止幕部材をバルコニーに配置し、
更に、前記バルコニーの外側部に立設する支柱の上部において、前記一対の支柱間に設けた飛散防止部材よりも建物の外側方向へ突出する補助飛散防止部材を設けたことを特徴とする建物における飛散防止装置である。
【０００６】
請求項２記載の発明は、請求項１記載の発明において、前記ゴンドラ本体に備える飛散防止部材が上部の飛散防止部材と、下部の飛散防止部材とからなり、その上部の飛散防止部材の上端部がゴンドラ本体の上部に支持され、下部の飛散防止部材の上端部がゴンドラ本体の下部に支持されていることを特徴とする建物における飛散防止装置である。
【０００７】
請求項３記載の発明は、請求項１又は２記載の発明において、前記ゴンドラ本体に備えた飛散防止部材の下端部に、その下端縁に沿って棒状部材を設けたことを特徴とする建物における飛散防止装置である。
【０００８】
請求項４記載の発明は、請求項１又は２又は３記載の発明において、前記ゴンドラ本体に備える飛散防止部材を、ゴンドラ本体の左右方向において複数設けたことを特徴とする建物における飛散防止装置である。
【０００９】
請求項５記載の発明は、請求項１乃至４のいずれか１項に記載の発明において、前記ゴンドラ本体に備えた飛散防止部材をゴンドラ本体内から昇降させる昇降手段を設けたことを特徴とする建物における飛散防止装置である。
【００１０】
請求項６記載の発明は、請求項１乃至５のいずれか１項に記載の発明において、前記ゴンドラ本体に備えた前記飛散防止部材の下側部を建物の手摺りの内側に配置することを特徴とする建物における飛散防止装置である。
【発明の効果】
【００１２】
本発明によれば、ゴンドラ本体の建物側に、折曲可能な幕状の飛散防止部材を、その上端部がゴンドラ本体に支持され、その下側部を昇降可能にして備えたので、作業用ゴンドラを建物の例えばバルコニーの外側に位置させ、飛散防止部材の下部をバルコニーの手摺りの内側に配置することにより、バルコニーの洗浄、塗装等の作業の際に飛散した洗浄液等が、バルコニーの上部や下部から建物の外部へ飛散することを防止できる。
【００１３】
更に、例えばバルコニーにおいて、前記の作業用ゴンドラとともに一対の支柱間にわたって張設した飛散防止部材からなる飛散防止幕部材を配置することにより、洗浄液等がバルコニーの側方から建物の外部へ飛散することを防止し、飛散物の建物外への飛散防止効果を一層向上できる。
【図面の簡単な説明】
【００１４】
【図１】本発明の実施例１を示す、建物の外側から見た図。
【図２】図１の略平断面図。
【図３】本発明の実施例１の作業用ゴンドラを示す斜視図で、上部飛散防止部材部は鎖線で示す。
【図４】図３の作業用ゴンドラをバルコニー部に配置した斜視図。
【図５】図４における作業用ゴンドラの飛散防止部材の下部をバルコニー内に配置した状態の側面図。
【図６】図５の状態から上部飛散防止部材の下部の一部を上げた状態の側面図。
【図７】図６の状態から上部飛散防止部材の全部を上げた状態の側面図。
【図８】図７の状態から下部飛散防止部材の下部の一部を上げた状態の側面図。
【図９】図８の状態から下部飛散防止部材の全部を上げた状態の側面図。
【図１０】図９の作業用ゴンドラの斜視図で上部飛散防止部材は鎖線で示す。
【図１１】実施例２としての飛散防止幕部材の保持部材を示す斜視図。
【図１２】図１１の支柱の伸縮部を示す斜視図。
【図１３】飛散防止幕部材に使用する飛散防止部材の正面図。
【図１４】飛散防止幕部材を用いた飛散防止装置の取付状態を示す正面図。
【図１５】図１４のＥ‐Ｅ線拡大断面図。
【図１６】図１４のＦ‐Ｆ線拡大断面図。
【図１７】図１４の飛散防止装置を建物の外側から見た図。
【図１８】図１７における略平断面図。
【図１９】図１４の飛散防止装置の他の実施例の保持部材を示す斜視図。
【図２０】図１９において、飛散防止部材を張設した斜視図。
【図２１】図２０の飛散防止装置の取付状態を示す正面図。
【図２２】図１４の飛散防止装置の更に他の実施例の取付状態を示す正面図。
【図２３】図１４の飛散防止装置の更に他の実施例を示す斜視図。
【図２４】図３に示す作業用ゴンドラと図１４に示す飛散防止幕部材との組合せの使用状態を示す図。
【図２５】図３に示す作業用ゴンドラと図２０に示す飛散防止幕部材の組合せの使用状態を示す図。
【図２６】作業用ゴンドラの他の実施例を示す斜視図。
【図２７】図２６の作業用ゴンドラに使用した飛散防止部材を示す正面図。
【図２８】図２７の飛散防止部材とパーテーションとの関係を示す図。
【図２９】本発明の実施例１１における飛散防止装置の配置を示す建物側から見た図。
【図３０】従来のバルコニーに設けられている隔板を示すもので、建物の外側から見た図。
【図３１】図３０の隔板の正面側から見た図。
【発明を実施するための形態】
【００１５】
本発明を実施するための形態を図に示す実施例に基づいて説明する。
［実施例１］
先ず、本発明の作業用ゴンドラによる飛散防止装置について図１乃至１０により説明する。これを実施例１とする。
【００１６】
図１は本発明の作業用ゴンドラ１を建物１０１から吊り下げた状態を建物の外側から見た図であり、図２はその作業用ゴンドラ１とバルコニーの略平断面図であり、図３は作業用ゴンドラ１の斜視図である。
【００１７】
なお、バルコニーとは、いわゆるベランダも含むものである。
図１〜３に示すように、作業用ゴンドラ１は、建物１０１の屋上からワイヤーロープ１ａで吊り下げられ、該ワイヤーロープ１ａの途中を作業用ゴンドラ１に装着した巻取装置であるウインチ１ｂに巻回し、その下部を作業用ゴンドラ１の下方へ垂らし、ウインチ１ｂの正逆回転により、作業用ゴンドラ１を建物１０１壁面部において昇降可能に懸垂支持されている。
【００１８】
本発明の実施例１において用いられる作業用ゴンドラ１は、大略、ゴンドラ本体５と上部飛散防止部３と、下部飛散防止部４からなる。図３に示すように、ゴンドラ本体５は、作業台部６の四隅から支柱７を夫々立設し、その支柱７の上端間に横枠８を架設して支柱７と連結することにより、該作業用ゴンドラ１に箱型の作業空間を構成している。
【００１９】
また、支柱７を立設することにより、作業用ゴンドラ本体５の上下方向の長さ、すなわち、その床部から横枠８までの長さＨ８を長くし、図４〜９に示すように、作業用ゴンドラ５を、上階のバルコニー２０２の床板１１３における見付け１１１の洗浄等のために図４〜９に示す位置に停止させた場合に、その作業用ゴンドラ５の下部が、下階のバルコニー１０２部に位置し、上部（横枠８）が上階のバルコニー２０２における手摺り１０９の上面より上部に位置するようになっている。
【００２０】
前記箱型の作業空間の外周には、建物からの飛散物の外部への飛散を防止する養生ネット９を被覆してゴンドラ養生部２が構成され、該養生ネット９は、作業用ゴンドラ１における建物１０１と対向する面、すなわち、ゴンドラ本体５の正面側Ｘの面と、ゴンドラ本体５の底面を除く全ての面に配置され、前記建物１０１と対向する面には、その面の左右両側部において、ゴンドラ本体５の両側端部から中央に向かって所定幅に亘る側部養生ネット１０，１０が設けられている。
【００２１】
これにより、本実施例１の作業用ゴンドラ１のゴンドラ本体５には、側部養生ネット１０，１０間に、作業用開口部１１が形成される。
【００２２】
前記、側部養生ネット１０，１０の内側端部には、上下方向に長尺な緩衝材１２，１２が、ゴンドラ本体５の上端から下端に亘って設けられている。該両緩衝材１２、１２相互の左右方向（図２においてＣ‐Ｄ方向を左右方向とする）の配置間隔は、図２に示すように、建物１０１のバルコニー１０２における隣接するパーテーション１０３，１０３の相互の間隔と同間隔に配置される。また、該緩衝材１２，１２としては、発泡樹脂等の弾力のあるものを用いる。
【００２３】
次に、前記ゴンドラ本体５に設置される上部飛散防止部３について説明する。
上部飛散防止部３は、図３に示すように、上部側の幕状の飛散防止部材（以下上部飛散防止部材という）１５と中継棒材１６と下部棒材２１と操作紐３０と、該操作紐３０を掛ける上部プーリ部３１と操作紐３０を巻回する上部リール部３２とからなる。また、前記操作紐３０とリール部３２等により前記棒材１６，２１の昇降手段を構成している。
【００２４】
前記の幕状の飛散防止部材１５は次のような部材を使用する。
一般に建物の修繕や修復工事は、先ず、建物の外面を高圧洗浄液で洗浄し、次で、下地補修を行い、次で、タイル補修又は塗装の塗り替えを行う。この高圧洗浄時には洗浄液が飛散し、下地、タイル補修時は、その下地、タイルの粉粒物が飛散し、塗装時にはその塗料が飛散する。
【００２５】
本発明の飛散防止部材１５は、前記の飛散した洗浄液、粉粒物、塗料が、その一方の面側から他方の面側へ通過して飛散することを防止（抑制）する折曲可能な幕状のものであり、折曲可能なシート、ネット、布などを使用する。
【００２６】
例えば、シートとしては、一般にブルーシートと称される樹脂シート（養生シート）や布製のシート（養生シート）、防音シート等を用い、ネットとしては、所望の網目のネット（養生ネット）を使用する。このネットは、その網目が、対象とする飛散物の飛散を防止（抑制）できるものを選定して使用するもので、例えば、０．５ｍｍ程の細かい網目のものを使用する。
【００２７】
また、対象とする飛散物によって、シートやネット等を選定し、例えば、洗浄液の場合はシートや布を用い、粉粒物や塗料の場合は、シートやネットや布を使用する。また、ネットの場合は、複数枚重ねて使用してもよい。
【００２８】
前記上部飛散防止部材１５は所望の大きさの方形のものを使用し、図の実施例では、その左右幅Ｗ１は、図３に示すように、前記作業用開口部１１の左右幅Ｗ２と略同幅か若干長く設定され、上下方向Ｈ１の長さは、図５に示すように、作業対象となる上階のバルコニー２０２の手摺り１０９の上下幅Ｈ２より長く設定されている。
【００２９】
なお、本発明における手摺りとは、手すり壁、手摺り格子、手摺りパネルを含むものである。
【００３０】
上部飛散防止部材１５の上端部には、孔部１４が上部飛散防止部材１５の左右方向における全域に複数個設けられ、これに紐などの締結手段１４ａを締着できるようになっており、この孔部１４とゴンドラ本体５の上端の横枠８を締結手段１４ａで連結して、上部飛散防止部材１５がゴンドラ本体５の上部（上端）から正面側Ｘにおいて下方に垂下するように設けられ、下側部を昇降可能にして設けられている。
【００３１】
また、上部飛散防止部材１５の上下方向における中間には、長尺な中継棒材１６が、上部飛散防止部材１５の左右方向に亘って、かつ、その上部飛散防止部材１５の使用時におけるゴンドラ本体５の正面側Ｘ、すなわち、建物１０１側の面に設けられている。
【００３２】
該中継棒材１６は、図３に示すように、内外の２重管で伸縮可能な機構を備えた金属製又は樹脂製の中空パイプ材からなり、該中継棒材１６における外筒１７の中空部内に中筒１８を摺動可能、すなわち、伸縮可能に挿入し、その伸縮位置を、例えば、後記実施例の固定具６７と同様の固定具１９で保持することによりその長さが調節できるようになっている。
【００３３】
また、中継棒材１６の伸長後の長さは、上部飛散防止部材１５の左右幅Ｗ１より長尺に設定され、中継棒材１６の両端は、上部飛散防止部材１５の左右端より所定幅突出している。
【００３４】
この突出した中継棒材１６の両端部には、貫通孔２０，２０が該中継棒材１６の軸方向に直交する上下方向において貫通形成され、該貫通孔２０，２０に前記操作紐３０が挿通されていると共に、貫通孔２０，２０内を操作紐３０が摺動できるようになっている。
【００３５】
なお、本実施例では、中継棒材１６は１本設置しているが、必要に応じて複数本、上下方向に一定の間隔を設けて配置してもよい。
【００３６】
また、前記上部飛散防止部材１５の下端部には、下部棒材２１が上部飛散防止部材１５の左右方向に亘って固着され、図４，５に示すように、その下部棒材２１の自重で上部飛散防止部材１５が上下方向に張設されるとともに、上部飛散防止部材１５の下端が作業階のバルコニー２０２の床面１０７における排水溝１０８に安定的に接地できるようになっている。
【００３７】
該下部棒材２１は、前記中継棒材１６の外筒１７と同様の外筒２３と、中筒１８と同様の中筒２４と、固定具１９と同様の固定具２５とからなり、伸縮可能で、かつ、その伸縮長を保持できるようになっている。
【００３８】
また、該下部棒材２１は、上部飛散防止部材１５の下端部において、前記中継棒材１６と並行で、かつ、上部飛散防止部材１５に対する左右位置も中継棒材１６と同位置にして設けられている。
【００３９】
また、下部棒材２１の左右方向における両端部は中継棒材１６と同様に、上部飛散防止部材１５の左右両端から突出し、この突出した下部棒材２１の両端部に形成された貫通孔２２，２２には、前記操作紐３０，３０の下端が夫々固着されている。
【００４０】
該操作紐３０，３０は、前記上部プーリ部３１、上部リール部３２に巻回できる紐状の部材で、一般的なロープやワイヤー等を使用している。
【００４１】
図３に示すように、該２本の操作紐３０，３０は、前記のように、操作紐３０，３０の一端を下部棒材２１の両端の貫通孔２２，２２に結束し、他端側を中間棒材１６の下方から貫通孔２０，２０を通じて上方に挿通し、その挿通した他端側を、ゴンドラ本体５の横枠８に設けられた上部プーリ部３１，３１に夫々中継させて、ゴンドラ本体５の手摺りに固設された１個のリール部３２に巻回保持されている。
【００４２】
次に、前記ゴンドラ本体５の下部（下端）に設置される下部飛散防止部４について説明する。
【００４３】
下部飛散防止部４は、前記上部飛散防止部３と略同様の部材で略同様に構成され、ゴンドラ本体５の下部に設置されるものである。そのため、前記上部飛散防止部３と同様な部材と同様な部分には、上部飛散防止部３の符号にａを付して説明し、また、その説明の一部を省略する。
【００４４】
図３に示すように、下部飛散防止部４における下部側の幕状の飛散防止部材（以下下部飛散防止部材という）１５ａは、前記上部飛散防止部材１５と同様の部材からなるシートやネット等を使用し、その上端部がゴンドラ本体５の下部において、床前側片６ａと保持板３５とで挟持され、ゴンドラ本体５の下部から下方に垂下され、下側部が昇降可能に設けられている。
【００４５】
下部飛散防止部４の下部飛散防止部材１５ａは所望の大きさの方形に形成され、図の実施例では、その左右幅Ｗ３は、前記作業用開口部１１の左右幅Ｗ２と略同幅か若干長く設定され、上下方向の長さＨ３は、図４，５に示すように、作業対象となる階の下階のバルコニー１０２における手摺り１１０の上下幅Ｈ２より長く形成されている。なお、好ましくは建物の部屋の床面から天井までの長さＨ５程度を確保するとよい。また、該下部飛散防止部材１５ａの上下方向の長さは、前記上部飛散防止部材１５よりも長く形成されている。
【００４６】
下部飛散防止部４の中継棒材１６ａは、その下部飛散防止部材１５ａの使用時におけるゴンドラ本体５の裏面側Ｙ、すなわち、建物１０１側と反対側に設けられている。
【００４７】
また、下部棒材２１ａも前記と同様に下部飛散防止部材１５ａの下端に設けられていることから、この自重で下部飛散防止部材１５ａが上下方向に張設されるとともに、下部飛散防止部材１５ａの下端が作業階のバルコニーの床面１０７における排水溝１０８に安定的に接地できるようになっている。
【００４８】
なお、操作紐３０ａは前記上部飛散防止部３と同様に、下部プーリ部３１ａから下部リール３２ａに巻回保持されている。
【００４９】
次に本飛散防止装置における作業用ゴンドラ１の設置作業について説明する。
高層マンション等の建物のバルコニーにおける外壁面の洗浄や補修や塗装を行うに際し、先ず、作業用ゴンドラ１の上部飛散防止部材１５と下部飛散防止部材１５ａを、図９，１０に示すように上昇させる。なお、この両飛散防止部材１５，１５ａや中継棒材１６，１６ａ、下部棒材２１，２１ａなどをゴンドラ本体５内へ収納するとよい。そして、この状態のまま、図９に示すように、作業用ゴンドラ１を作業階まで昇降移動させて停止させる。
【００５０】
次に、上部リール部３２を戻し操作して、上部飛散防止部３の上部飛散防止部材１５と中継棒材１６と下部棒材２１を、図５に示すように、上階のバルコニー２０２の手摺り１０９を乗り越えて上階のバルコニー２０２の内側へ入るようにしながら下降させ、その上部飛散防止部材１５の下端を床面１０７へ接触させる。尚排水溝１０８内に載置してもよい。
【００５１】
このとき、上部飛散防止部材１５の左右幅Ｗ１が、バルコニー２０２におけるパーテーション１０３，１０３の内のり寸法より長い場合には、中継棒材１６と下部棒材２１を縮小させることにより、前記パーテーション１０３，１０３の内のり寸法と長さを一致させることができる。なお、上部飛散防止部材１５は、折曲可能な素材であることから、左右方向に撓むことでその左右幅を縮小することができる。
【００５２】
次に、下部飛散防止部４も同様の手順で行うもので、下部リール部３２ａを戻し操作して、中継棒材１６ａと下部棒材２１ａと下部飛散防止部材１５ａが、図５に示すように下階のバルコニー１０２内に、手摺り１１０を乗り越えて入るようにしながら下降させ、その下部飛散防止部材１５ａの下端を床面１０７へ接触させる。尚排水溝１０８内に載置させてもよい。
【００５３】
この状態で作業者は、ゴンドラ本体５内から建物におけるバルコニー２０２の床板１１３の見付け部１１１等の外壁面の洗浄や補修や塗装の作業を行う。
【００５４】
この作業において、作業用ゴンドラ１が位置する部分の見付け部１１１から上方へ飛散する前記洗浄液、粉粒物、塗料等（以下飛散物という）は、上部飛散防止部材１５によって外部への飛散が防止される。また、該上部飛散防止部材１５の裏面に付着した洗浄液等は、その上部飛散防止部材１５の裏面を伝いバルコニーの床面１０７（排水溝１０８）へ流下する。このとき、中継棒材１６は上部飛散防止部材１５の表面側Ｘに設けられていることから、洗浄液の落下を妨げることはない。
【００５５】
そして、最も飛散量が多い作業用ゴンドラ１の下側への飛散物については、下部飛散防止部材１５ａによって外部への飛散が防止され、下部飛散防止部材１５ａに付着した洗浄液は、その下部飛散防止部材１５ａの表面を伝い下階のバルコニー１０２の床面１０７（排水溝１０８）に流下する。このとき、中継棒材１６ａは下部飛散防止部材１５ａの裏面側Ｙに設けられていることから、洗浄液の落下を妨げることはない。
【００５６】
なお、この洗浄作業で使用される液体は下水に排出しても支障がないものを使用している。
【００５７】
前記の洗浄等の作業の終了時には、まず、図５の状態から、上部飛散防止部３における上部飛散防止部材１５等を引き上げるため、作業者が、ゴンドラ本体の上部リール部３２を巻き上げ作動し、左右の操作紐３０，３０を同時に巻き取る。すると、中継棒材１６の貫通孔２０，２０に摺動可能に挿通された操作紐３０，３０は、図６に示すように、中継棒１６の高さを維持させたまま、下端の下部棒材２１を上昇させ、中継棒材１６に対し下部棒材２１を並行な状態で当接させる。
【００５８】
更に、操作紐３０，３０を巻き取ると下部棒材２１に支承されながら中継棒材１６も上昇し、図７に示すように、上部飛散防止部材１５、中継棒材１６、下部棒材２１をゴンドラ本体５の上部まで上昇させることができる。
【００５９】
そして、中継棒材１６と下部棒材２１及び上部飛散防止部材１５の左右方向の長さを、作業用開口部１１の左右幅Ｗ２よりも縮小させ、作業用開口部１１からゴンドラ本体５内へ引き込み収納させる。
【００６０】
次に、図７の状態から下部飛散防止部４の下部飛散防止部材１５ａ等を引き上げるため、作業者が、ゴンドラ本体５の下部リール３２ａを巻き上げ作動し、前記と同様の手順で、図８に示す位置まで、下部棒材２１ａを上昇させた後、図９に示すように、ゴンドラ本体５の下部まで引き上げる。そして前記上部飛散防止部材１５等と同様に、下部飛散防止部材１５ａ等を、ゴンドラ本体内へ収納する。
【００６１】
その後、作業用ゴンドラ１を次の階へ昇降移動させ、前記と同様の工程で作業を繰り返し行う。
【００６２】
前記のような本発明の実施例の作業用ゴンドラ１を用いた飛散防止装置によれば、次のような効果を発揮できる。
【００６３】
上部飛散防止部材１５の下部側を、作業部の上階のバルコニー２０２における手摺り１０９の上部を乗り越えて内側に垂らし、更に、下部飛散防止部材１５ａを、ゴンドラ本体５の下端から作業部の下階のバルコニー１０２における手摺り１１０の上部を乗り越えて内側に垂らすことにより、作業用ゴンドラ１の上下方向における建物４０との隙間や格子状の手摺り１０９，１１０の隙間を閉塞することができる。
【００６４】
そのため、作業用ゴンドラ１での作業、例えば、図５に示す、作業階のバルコニーの床板１１３の見付け１１１等の外壁の洗浄や補修や塗装作業により飛散した洗浄液等の上方から建物外への飛散は上部飛散防止部材１５で防止でき、下方から建物外への飛散は下部飛散防止部材１５ａで防止できる。更に、この洗浄液を上部飛散防止部材１５と下部飛散防止部材１５ａによってバルコニーの側溝１０８，１０８へ流下させることができる。
【００６５】
また、ゴンドラ本体が風で揺動し、バルコニーから離反した場合にも、上部飛散防止部材１５と下部飛散防止部材１５ａにより、前記の飛散防止効果を維持できる。
【００６６】
更に、操作紐３０，３０によってゴンドラ本体５内から上部飛散防止部材１５と下部飛散防止部材１５ａを引き上げることができることから、作業者が作業用ゴンドラ１に乗降することなく、次の階へと作業工程を進めることができる。更に、上部飛散防止部材１５と下部飛散防止部材１５ａの夫々の一対の操作紐３０，３０と３０ａ，３０ａを夫々１個のリール部３２，３２ａで牽引することから、これら作業工程を一人で行うことができる。更に、各飛散防止部材１５，１５ａに、中継棒材１６，１６ａを設けたので、各飛散防止部材１５，１５ａを上昇させた場合、図９に示すように、各飛散防止部材が複数回に曲げられ、各飛散防止部材をゴンドラ内へ取り込む作業が容易になる。
【００６７】
次に、前記実施例１の作業用ゴンドラ１と図１１〜２３に示す飛散防止幕部材とによる飛散防止装置について、図１１〜２５により説明する。
［実施例２］
図１１〜１８は飛散防止幕部材を示すもので、これを実施例２として示す。該実施例２において、洗浄液等の飛散防止装置６３（以下単に飛散防止装置ともいう）の飛散防止幕部材６０は、大略、保持部材６１と飛散防止部材６２とからなる。
【００６８】
保持部材６１は、内外（図５，１１，１４においてＡ側を外側とし、Ｂ側を内側とする）一対（２本）の支柱６５ａ，６５ｂと、該各支柱６５ａ，６５ｂの上部に水平方向に備えた内外一対の保持杆６６ａ，６６ｂとからなる。前記一対の支柱６５ａ，６５ｂと内外一対の保持杆６６ａ，６６ｂは夫々相互に別体で形成されている。
【００６９】
なお、前記他方の支柱６５ｂと他方の保持杆６６ｂは、一方の支柱６５ａと一方の保持杆６６ａと同様の構造であるため、一方の支柱６５ａと一方の保持杆６６ａについて説明する。
【００７０】
支柱６５ａは、その軸方向に伸縮可能で、かつ、所望の伸縮長（伸縮状態）で固定したり、これを解除できるようになっている。この実施例２では、中空管よりなる下側の主支柱６５ｃと、該主支柱６５ｃより小径で、該主支柱６５ｃに、上側から摺動（昇降）可能に挿入した中空管よりなる補助支柱６５ｄを有し、補助支柱６５ｄを主支柱６５ｃに対し上方へ移動させることにより支柱６５ａの全長が伸長し、下方へ移動することにより支柱６５ａの全長が縮小するようになっている。
【００７１】
なお、前記支柱６５ａ，６５ｂは、バルコニー１０２の標準的な高さよりも大きく伸長できるように設定されている。
【００７２】
また、主支柱６５ｃの上部には、補助支柱６５ｄの昇降位置を主支柱６５ｃに固定、すなわち、支柱６５ａの伸縮状態を固定したり、その固定を解除できる固定具６７が設けられている。該固定具６７としては、伸縮位置を固定したり、解除できるものであればよく、市販の又は一般に使用されている構造を用いることができる。
【００７３】
例えば、図１２に示すような固定具６７を用いる。この固定具６７は、主支柱６５ｃの上端に、雄ねじ部６７ａと径が拡縮する拡縮部６７ｂを有する部材６７ｃを固設し、補助支柱６５ｄに、内部に前記雄ねじ６７ａと螺合する雌ねじと、前記拡縮部６７ｂに係合するテーパ部を設けた固定操作部６７ｄを回転可能に備え、補助支柱６５ｄを主支柱６５ｃに対して上下方向に移動し、その所望の位置で、固定操作部６７ｄを雄ねじ６７ａに螺合することにより、拡縮部６７ｂを補助支柱６５ｄに締め付けて、両支柱６５ｃ，６５ｄを相互に固定するようになっている。また、補助支柱６５ｄを伸縮する場合には、図１２に示すように、固定操作部６７ｄを拡縮部６７ｂより外し、補助支柱６５ｄの昇降を可能にする。
【００７４】
前記主支柱６５ｃの下端には、滑り止めを兼用する下端部材６８ａが固着され、前記補助支柱６５ｄの上端には、滑り止めを兼用する上端部材６８ｂが設けられている。
【００７５】
前記補助支柱６５ｄの上部には、前記保持杆６６ａが取外し可能に付設できるようになっている。この実施例２においては、前記補助支柱６５ｄの上部内周に雌ねじを刻設し、該補助支柱６５ｄの上部に水平方向の貫通穴６６ｃを形成し、該貫通穴６６ｃに保持杆６６ａの端部を取り外し可能に挿通し、補助支柱６５ｄの上端開口部から、雄ねじを有する上端部材６８ｂを前記雌ねじに螺合するように構成されている。そして、保持杆６６ａの一端部を貫通穴６６ｃに挿入し、上端部材６８ｂを正逆回転することにより、その雄ねじの端部が保持杆６６ａに係止、解除し、保持杆６６ａを補助支柱６５ｄに固定、解除できるようになっている。
【００７６】
前記保持杆６６ａの補助支柱６５ｄへの、取外し可能な取付方法は、前記の構造に限るものではなく、その他、補助支柱６５ｄに受け部材を設け、これに保持杆６６ａを着脱するようにして構成してもよい。
【００７７】
前記他方の支柱６５ｂと他方の保持杆６６ｂは、前記一方の支柱６５ａと一方の保持杆６６ａと同様の構造であるため、前記と同一部材に前記と同一符号を付してその説明を省略する。
【００７８】
なお、前記保持杆６６ａ，６６ｂの水平方向の長さは、図１４に示すように、一対の支柱６５ａ，６５ｂを、バルコニーの標準的な幅Ｗ６における内側部と外側部に配置した際（この配置間隔をＷ７とする）に、両保持杆６６ａ，６６ｂの先端相互が重合しない長さ、すなわち、図１１に示すように、先端相互間に間隔Ｄが形成される長さに設定されている。
【００７９】
次に、前記飛散防止部材６２について図１３〜１７により説明する。
飛散防止部材６２は、前記のゴンドラ本体５に設けた飛散防止部材１５，１５ａと同様な部材で形成されており、前記のような、飛散した洗浄液や粉粒物や塗料が一方の面側から他方の面側へ飛散することを防止する折曲可能なシートやネット等で形成されている。    
【００８０】
この飛散防止部材６２は方形のものを使用し、図１３に示す、その内外方向の幅Ｗ８は、前記の配置された一対の支柱６５ａ，６５ｂ間にわたって架設できる長さに設定されるもので、図の実施例２においては、前記両支柱６５ａ，６５ｂの標準的な配置間隔Ｗ７よりも長く設定され、両支柱６５ａ，６５ｂの配置間隔Ｗ７が大小に変る場合にも、この両支柱６５ａ，６５ｂ間に飛散防止部材６２を張設できるように、該飛散防止部材の左右の張設幅を変化できるようになっている。
【００８１】
更に、飛散防止部材６２の上下方向の長さＨ４は、バルコニー１０２の床面１０７から天井面１０４までを略覆う長さに設定されるもので、図の実施例においては、バルコニー１０２の標準的な高さＨ５（図１４参照）よりも長く設定され、バルコニーの高さＨ５が異なる場合にも、略床面１０７から略天井面１０４までを覆うことができるように、該飛散防止部材６２の上下の張設幅を変化できるようになっている。
【００８２】
前記飛散防止部材６２の両側部には、該部を前記両支柱６５ａ，６５ｂに着脱可能に取付けるための取付部材７０，７１が設けられている。
【００８３】
該取付部材７０，７１としてこの実施例２では面ファスナー７０，７１を使用している。該面ファスナー７０，７１は、飛散防止部材６２の一方の面における内外方向（幅Ｗ８方向）の両側に夫々設けられている。一方の面ファスナー（取付部材）７０におけるフック側（雄側）とループ側（雌側）の一方の部材７０ａは飛散防止部材６２の一端部６２ａに設けられ、他方の部材７０ｂは、前記一方の部材７０ａより内部側に位置し、両部材７０ａ，７０ｂは同一水平方向線上に配置されている。
【００８４】
他方の面ファスナー（取付部材）７１におけるフック側（雄側）とループ側（雌側）の一方の部材７１ａは飛散防止部材６２の他端部６２ｂに設けられ、他方の部材７１ｂは、前記一方の部材７１ａより内側に位置し、両部材７１ａ，７１ｂは同一水平方向線上に配置されている。
【００８５】
前記一方の取付部材（面ファスナー）７０と他方の取付部材（面ファスナー）７１は、夫々飛散防止部材６２の上下方向において、複数個所定の間隔をおいて設けられている。
【００８６】
前記飛散防止部材６２の上側部には、該部を前記保持杆６６ａ，６６ｂに着脱可能に取付けるための取付部材７２が設けられている。
【００８７】
該取付部材７２としてこの実施例２では面ファスナー７２を使用しており、該面ファスナー７２は飛散防止部材６２の一方の面における上側部に設けられている。該面ファスナー（取付部材）７２におけるフック側（雄側）とループ側（雌側）の一方の部材７２ａは飛散防止部材６２の上端部６２ｃに設けられ、他方の部材７２ｂは、前記一方の部材７２ａより内部側に位置し、両部材７２ａ，７２ｂは同一鉛直線上に配置されている。更に、前記取付部材（面ファスナー）７２は、飛散防止部材６２の内外方向において、複数個所定の間隔を置いて設けられている。
【００８８】
なお、前記他方の部材７０ｂ，７１ｂ，７２ｂは夫々長尺に形成されている。
次に本実施例２の飛散防止装置６３における飛散防止幕部材６０の設置作業について説明する。
【００８９】
先ず、図３０，３１に示すような集合住宅等の建物のバルコニー１０２における外壁面の洗浄や補修や塗装等を行う以前に、そのバルコニー１０２（図２の中央に示すバルコニー１０２）における隣戸との境界部分に設けられた隔板１０３，１０３の作業側面側の近傍に、図１４に示すように、一方の支柱６５ａをバルコニー１０２の外側（図１４のＡ側）部に立設し、他方の支柱６５ｂをバルコニー１０２の内側（図１４のＢ側）部に立設する。なお、保持杆６６ａ，６６ｂは、予め支柱６５ａ，６５ｂに付設しておく。
【００９０】
この支柱６５ａ，６５ｂの立設作業は、支柱６５ａ，６５ｂの高さ（長さ）がバルコニー１０２の高さＨ５よりも短くなるように、補助支柱６５ｄ，６５ｄの下部側を主支柱６５ｃ内に挿入した状態で、立設部において、主支柱６５ｃ，６５ｃの下端をバルコニー１０２の床面１０７に当接し、補助支柱６５ｄ，６５ｄを引き上げて支柱６５ａ，６５ｂを伸長する。
【００９１】
このとき、飛散防止部材６２の上端部６２ｃを、図１４，１６に示すように、補助支柱６５ｄ，６５ｄの上端部材６８ｂ，６８ｂと保持杆６６ａ，６６ｂの上側を通して折り返しておく。
【００９２】
次に、両補助支柱６５ｄ，６５ｄを上方へ引き伸ばし、その補助支柱６５ｄ，６５ｄの上端部材６８ｂ，６８ｂを、飛散防止部材６２を介してバルコニー１０２の天井面１０４に押し当て、この伸長状態で固定具６７を締め付けて、主支柱６５ｃ，６５ｃと補助支柱６５ｄ，６５ｄを相互に固定して、両支柱６５ａ，６５ｂを床面１０７と天井面１０４間に立設する。そして、飛散防止部材６２の前記の折り返した上端部６２ｃを、取付部材である面ファスナー７２で飛散防止部材６２に止着する。
【００９３】
次に図１４，１５に示すように、飛散防止部材６２の一端部６２ａを一方の支柱６５ａの外側を通して折り返し、その一端部６２ａを取付部材である面ファスナー７０で飛散防止部材６２に止着する。
【００９４】
更に、飛散防止部材６２の他端部６２ｂを他方の支柱６５ｂの外側を通して折り返し、その他端部６２ｂを取付部材である面ファスナー７１ａで飛散防止部材６２に止着する。
【００９５】
また、前記のように、両支柱６５ａ，６５ｂが相互に分離して形成されているとともに、保持杆６６ａ，６６ｂが、バルコニーの標準的な幅Ｗ６よりも短く形成されているため、幅Ｗ６の異なるバルコニーに対応して両支柱６５ａ，６５ｂを配置でき、また、両支柱６５ａ，６５ｂの長さを伸縮可能に形成したので、高さＨ５の異なるバルコニーに対応して両支柱６５ａ，６５ｂを配置できる。
【００９６】
更に、飛散防止部材６２の内外方向の幅Ｗ８と上下方向の高さＨ４をバルコニーの標準的な幅と高さよりも大きくしたので、内外方向の幅や上下方向の高さが異なるバルコニーに対しても、隣戸との境界部分の略全面を遮蔽するように飛散防止部材６２を張設することができる。
【００９７】
更に、飛散防止部材６２の取付部材７０，７１，７２を面ファスナーで形成することにより、飛散防止部材６２の両端部と上端部の折り返し量の調節が容易に行え、飛散防止部材６２の内外方向と上下方向の張設幅を変化することができ、かつ、この変化状態でも飛散防止部材６２の張りをもたせることができる。
【００９８】
次に、前記の洗浄、塗装等の作業が終了した後は、取付部材７０，７１，７２を外し、また、固定具６７を緩め、両支柱６５ａ，６５ｂを縮小して、両支柱６５ａ，６５ｂと飛散防止部材６２をバルコニーから取り外す。更に、上端部材６８ｂ，６８ｂを緩めて保持杆６６ａ，６６ｂを外す。
【００９９】
前記のような構造により、本実施例２においては次のような効果を発揮できる。
前記のように、本実施例２の飛散防止装置６３における飛散防止幕部材６０を、図１８に示すように、作業をするバルコニーにおける隣戸との境界部分に設けられた隔板１０３の一方の面の近傍に配置することにより、図１４に示すように、そのバルコニーの外側部から内側部まで、かつ、床部から天井部までを飛散防止部材６２で覆うことができる。そのため、一方のバルコニーでの外壁等の洗浄や塗装作業により飛散した洗浄液や塗料等が、図２６，２７で示す隔板１０３の上部と天井面１０４との空間部１０５を通じて隣家のバルコニーに飛散することを飛散防止部材６２により防止できる。そのため、前記の作業用ゴンドラ等による洗浄等の作業によってバルコニーへ飛散した洗浄液や粉粒物や塗料が前記の空間部１０５を通じて隣家のバルコニーから建物の外側へ飛散することを防止できる。
【０１００】
また、両支柱６５ａ，６５ｂを伸縮可能とし、飛散防止部材６２を前記のように構成したことにより、飛散防止部材６２の張設幅を変化させて、幅や高さが異なるバルコニーにも対応することができる。
【０１０１】
なお、前記飛散防止部材６２の取付部材７０，７１，７２は、飛散防止部材６２側に固着したひもを支柱６５ａ，６５ｂ、保持杆６６ａ，６６ｂに縛る構造でもよく、また、飛散防止部材６２側に環状のひもを固着し、その環状のひもを支柱６５ａ，６５ｂ、保持杆６６ａ，６６ｂに挿通してもよい。
［実施例３］
図１９乃至図２１は飛散防止幕部材の他の例を示すもので、これを実施例３として示す。
【０１０２】
実施例３は、前記実施例２（図１１〜１８）に対して、補助保持部材８１，８１と幕状の補助飛散防止部材８２とからなる補助飛散防止部８０を設けて飛散防止幕部材６０Ａとした点が主に相違する。
【０１０３】
前記実施例２においては、図１４に示すように、バルコニー１０２の外側に手摺り１１０が固設されているため、前記実施例２の飛散防止装置６３、すなわち、飛散防止部材６２の外側端の外側への位置が手摺り１１０に制限され、図５，１４に示すように、手摺り１１０の上端１１２と天井面１０４との間であって、飛散防止部材６２の外側端と前記作業用ゴンドラ１のゴンドラ本体５との間に隣戸方向へ通じる側部空間８８が生じる。そのため、前記のように、バルコニーで飛散した洗浄液や塗料等が側部空間８８を通じて隣戸方向へ抜けた後、建物の外部へ飛散するおそれがある。
【０１０４】
そこで、前記実施例２の飛散防止装置３と同様の飛散防止装置６３Ａに側部空間８８からの飛散を防止する補助飛散防止部８０を設けて飛散防止幕部材６０Ａとし、飛散防止装置８５を構成したものである。
【０１０５】
先ず、前記実施例２と同様の構成からなる飛散防止装置６３Ａについて説明する。
該飛散防止装置６３Ａは、前記実施例２の飛散防止装置６３における一方の支柱（バルコニーの外側に位置する支柱）６５ａに対する飛散防止部材６２の取付方法が相違するものである。
【０１０６】
該取付方法は、飛散防止部材６２の一方の側端６２ａを一方の支柱６５ａの近傍に配置し、該飛散防止部材６２に取付穴６２ｄを形成し、該取付穴６２ｄと一方の支柱６５ａとを紐６２ｅで連結したものである。この取付穴６２ｄと紐６２ｅが取付部材６２ｆを構成している。
【０１０７】
この飛散防止装置６３Ａのその他の構成は前記実施例２の飛散防止装置６３と同様であるため、前記と同一部分には前記と同一の符号を付してその説明を省略する。
【０１０８】
この飛散防止装置６３Ａにおいても、前記実施例２と同様に、支柱６５ａ，６５ｂの伸縮調整と内外方向間の調整及び飛散防止部材６２の上下方向の張り長さの調整が可能であり、また、飛散防止部材６２の内外方向の張りの長さの調整が、前記実施例２と同様に面ファスナーによる取付部材７１により行える。
【０１０９】
次に補助飛散防止部８０について説明する。
前記外側の支柱６５ａには２個の補助保持部材８１，８１が、前記側部空間８８の上部と下部に配置されるように位置して設けられている。
【０１１０】
該補助保持部材８１，８１は、横断面がＬ形で長尺なＬ型鋼からなり、その両片８１ａ，８１ｂに、その表裏に貫通する挿入溝８１ｃ，８１ｄが長手方向に形成されている。そして、Ω状の取付金具８１ｆを補助支柱６５ｄに嵌合し、その片８１ｇを垂直に配置された片８１ａの裏面に重合し、蝶ねじ８１ｈを片８１ａの挿入溝８１ｃに挿通して取付金具８１ｆの片８１ｇに螺合し、補助保持部材８１を支柱６５ａに取付けるようになっている。
【０１１１】
また、蝶ねじ８１ｈを緩めることにより、補助保持部材８１，８１を上下方向と内外方向（長手方向）に移動調節し、蝶ねじ８１ｈを締めつけることにより、所望の上下方向の調節位置と内外方向の調節位置で固定できるようになっている。
【０１１２】
そして、図２０に示すように、上部の補助保持部材８１における水平の片８１ｂの挿入溝８１ｄに補助飛散防止部材８２の上部８２ａを挿入して折り返し、その折り返した上部８２ａを飛散防止部材８２の主体部に取付部材８４で取付ける。また、下部の補助保持部材８１における水平の片８１ｂの挿入溝８１ｄに補助飛散防止部材８２の下部８２ｂを挿入して折り返し、その折り返した下部８２ｂを飛散防止部材８２の主体部に取付部材８４で取付ける。
【０１１３】
前記取付部材８４は、飛散防止部材８２の上部８２ａと下部８２ｂに面ファスナーの一方の部材を設け、飛散防止部材８２の主体部に面ファスナーの他方の部材を上下方向に長くして設けて、これらを取外し可能に接合するように構成されている。なお、この取付部材８４は、釦等の他の手段で構成してもよい。
【０１１４】
前記の構成により、補助保持部材８１，８１を上下に移動調節し、飛散防止部材８２の上部８２ａ又は下部８２ｂの折り返し量を調節することにより、飛散防止部材８２の上下方向の張設長を変更調節できる。
【０１１５】
なお、前記飛散防止部材６２と補助飛散防止部材８２は、前記ゴンドラ本体５に設けた飛散防止部材１５，１５ａと同様の部材で形成されているため、その説明は省略する。
【０１１６】
以上のようであるから、図２１に示すように、飛散防止装置６３Ａを前記実施例２の飛散防止装置６３と同様に配置し、補助飛散防止部８０を前記の側部空間８８部に配置することにより、前記実施例２と同様に、バルコニーで飛散した洗浄液や塗料等が隔板１０３の上部の空間部１０５を通じて隣戸のバルコニーから建物の外部へ飛散することを防止できる上に、補助飛散防止部８０により、前記の作業用ゴンドラ等による洗浄等の作業によってバルコニーへ飛散した洗浄液や塗料等が前記側部空間８８を通じて隣戸側への飛散した後、建物の外側へ飛散することを防止できる。
［実施例４］
図２２は飛散防止幕部材の他の例を示すもので、これを実施例４として示す。
【０１１７】
本実施例４は、前記実施例２（図１１〜１８）の飛散防止装置６３における飛散防止部材６２の取付構造が異なる飛散防止幕部材６０Ｂとした飛散防止装置６３Ｂである。
【０１１８】
本実施例４の保持部材６１Ａは、前記実施例２及び３と同様の支柱６５ａ，６５ｂからなり、前記保持杆６６ａ，６６ｂを有しない。
【０１１９】
飛散防止部材６２の内外方向における支柱６５ａ，６５ｂに対する取付構造は、前記実施例３と同様である。そのため、この取付構造については、前記と同一部分に前記と同一符号を付してその説明は省略する。
【０１２０】
また、飛散防止部材６２の上下方向の長さは、前記実施例２と略同長であるが、該飛散防止部材６２の上部は、前記実施例２，３のように折り返すのではなく、その上端６２ｊは、支柱６５ａ，６５ｂの上端と略同一高さの位置に配置され、下部６２ｋは、バルコニーの床面１０７上に畳み重なるように、余剰長を有する（図ではその重合状態を省略した）。
【０１２１】
その他の構造及び飛散防止部材６２は前記実施例２と同様であるため、前記と同一部分には前記と同一符号を付してその説明は省略する。
【０１２２】
本実施例４においては、前記実施例２の保持杆６６ａ，６６ｂはないが、飛散防止部材６２は、取付部材７１により張りをもたせることにより、張設状態を維持できる。  
【０１２３】
本実施例４においても前記実施例２と同様の効果を発揮することができる。
［実施例５］
図２３は飛散防止幕部材の他の例を示すもので、これを実施例５として示す。
【０１２４】
本実施例５は、前記実施例４（図２２）と同様の飛散防止装置６３Ｂに、前記実施例３と同様の補助飛散防止部８０を設けて、飛散防止幕部材６０Ｃとした飛散防止装置６３Ｃである。
【０１２５】
本実施例５において、前記と同一部材には前記と同一符号を付してその説明を省略する。
【０１２６】
本実施例５においても、前記実施例３と同様の効果を発揮できる。
［実施例６］
前記実施例においては、各飛散防止装置６３，６３Ａ、６３Ｂ，６３Ｃ，８５をバルコニー１０２の隔板１０３における一方の面の近傍に配置したが、該各飛散防止装置６３，６３Ａ，６３Ｂ，６３Ｃ，８５を図１８の鎖線で符号６３Ｇとして示すように、隔板１０３から離れた位置に設置してもよい。
【０１２７】
すなわち、洗浄等の作業を、１つのバルコニー１０２における一部分（図１８のＲ部）で行う場合に、この一部分Ｒの両側に本発明の飛散防止装置６３，６３Ａ，６３Ｂ，６３Ｃ，８５を前記のように配置して、作業部で飛散した洗浄液等が、そのバルコニー１０２の他の部分Ｓ側へ飛散することを防止するようにしてもよい。この場合は、前記ゴンドラ本体５における飛散防止部材１５，１５ａの左右幅を、前記飛散防止装置６３，６３Ａ〜６３Ｃ，８５の設置間隔とする。
［実施例７］
図２４は、前記実施例１の作業用ゴンドラ１と前記実施例２（図１１〜１８）の飛散防止幕部材６０（飛散防止装置６３）とにより、建物における洗浄液等の飛散防止装置を構成した実施例である。
【０１２８】
この実施例において、例えば作業階のバルコニーの見付け１１１の外面の洗浄や補修や塗装の作業により飛散した洗浄液等の上方から上階のバルコニー２０２への飛散は作業用ゴンドラ５の上部飛散防止部材１５で遮断され、バルコニー２０２を通じて建物の外部への飛散は防止される。
【０１２９】
また、前記のように、見付け１１１部から下方へ飛散した洗浄液等が、バルコニー１０２の前面から建物外方向へ飛散することは、下部飛散防止部材１５ａで防止される。また、バルコニー１０２内に飛散した洗浄液等が、前記隔板１０３と天井面１０４との空間部１０５から隣家のバルコニーへ飛散して、建物外へ飛散することは、飛散防止幕部材６０で防止される。
【０１３０】
したがって、バルコニーでの洗浄液等の建物外への飛散の防止効果を向上できる。
［実施例８］
図２５は前記実施例１の作業用ゴンドラ１と前記実施例３（図１９〜２１）の飛散防止幕部材６０Ａ（飛散防止装置６３Ａ）とにより、建物に対する洗浄液等の飛散防止装置を構成した実施例である。
【０１３１】
この実施例においては、前記実施例７と同様の作用効果を有し、かつ、前記実施例７において生じる前記側部空間８８を補助飛散防止部８０で閉塞し、前記の見付け１１１部から下方へ飛散した洗浄液等が前記側部空間８８から建物の外部へ飛散することを防止できる。
【０１３２】
したがって、バルコニーでの洗浄液等の建物外への飛散の防止効果を一層向上できる。
［実施例９］
前記実施例７，８の他に、前記実施例１の作業用ゴンドラ１と、前記実施例４又は５の飛散防止部材６０Ｂ，６０Ｃを組合わせてもよく、これによる飛散防止装置においても前記と同様の効果を発揮できる。
［実施例１０］
図２６〜２８は実施例１０を示す。
【０１３３】
前記実施例１，７，８，９に示すゴンドラ５の飛散防止部材は、その上部飛散防止部材１５と下部飛散防止部材１５ａを夫々１枚で形成したものであるが、本実施例１０は、飛散防止部材１５，１５ａを、図２６〜２８に示すように、夫々左右方向（Ｃ‐Ｄ方向）に２枚の幕１５Ａ，１５Ｂに分割して構成したものである。
【０１３４】
すなわち、上部飛散防止部材１５に、左右方向において、適宜位置に分離部１５Ｃを設け、一方の幕１５Ａと他方の幕１５Ｂに分割するとともに、夫々の左右方向の長さＷ１０とＷ１１を適宜長さに設定したものである。
【０１３５】
この実施例は、例えば、図２８に示すように、複数の作業用ゴンドラ１Ａ，１Ｂを連接する場合等において、その１個の作業用ゴンドラ１Ａの左右方向の長さＷ１２がパーテーション１０３と１０３間の長さＷ１３よりもＷ１４分長い場合に、このＷ１４の部分においても塗装等の作業を行い、作業効率を上げたい場合がある。この場合に前記の一方の部材１５Ａの他に他方の部材１５Ｂを、分離部１５Ｃが前記一方のパーテーション１０３に位置するようにして設け、分離部１５Ｃをパーテーション１０３に挿通して、Ｗ１４の部分にも他方の上部飛散防止部材１５Ｂを配置できるようにしたものである。
【０１３６】
また、下部飛散防止部材１５ａも、前記と同様に分離部１５Ｃで分割されて、一方の部材１５Ａと他方の部材１５Ｂで形成されている。
【０１３７】
また、分離部１５Ｃは、その上端が上部及び下部の飛散防止部材１５，１５ａの上端までは達しないように形成され、その無分離部１５Ｄは、上部飛散防止部材１５側が下部飛散防止部材１５ａ側よりも短く設定されている。
【０１３８】
なお、前記分割された双方の部材１５Ａ，１５Ｂの夫々には、前記図３等に示す棒材１６，２１が独立して設けられ、夫々独立して操作紐３０により、前記のように昇降できるようになっている。
【０１３９】
また、前記飛散防止部材１５，１５ａは左右方向に２枚に分割したが、夫々左右方向に３枚以上、すなわち、複数に分割してもよい。
【０１４０】
その他の構造は前記実施例と同様であるため、図２６において、主要部分に前記と同様の符号を付してその説明を省略する。
［実施例１１］
図２９は実施例１１を示す。
【０１４１】
前記、実施例では、本発明の飛散防止装置６３，６３Ａ，６３Ｂ，６３Ｃ，８５を隔板１０３における作業をするバルコニー１０２側の面に近接して配置したが、この飛散防止装置６３，６３Ａ，６３Ｂ，６３Ｃ，８５を、図２９において符号６３（６３Ａ〜６３Ｃ，８５）で示すように、隔板１０３における作業をするバルコニー１０２と隣接するバルコニー３０２，３０２側の面の近傍に配置してもよい。
【０１４２】
本実施例１１によれば、隔板１０３における作業をするバルコニー１０２側の面の洗浄等の作業が、作業側のバルコニー１０２から行え、隔板１０３の洗浄等の作業が効率良く行える。
［実施例１２］
前記実施例は、建物のバルコニー（ベランダ）に対する飛散防止について説明したが、本発明は、手摺り壁、手摺り格子、手摺りパネルを有する開放廊下、屋外階段などの工事における飛散防止にも適用できるものである。
【符号の説明】
【０１４３】
１      作業用ゴンドラ
５      ゴンドラ本体
１５    上部の飛散防止部材
１５ａ  下部の飛散防止部材
１６，１６ａ，２１，２１ａ  棒状部材
３０，３０ａ，３２，３２ａ  昇降手段である操作紐、プーリ
６０，６０Ａ，６０Ｂ，６０Ｃ  飛散防止幕部材
６２    飛散防止部材
６５ａ，６５ｂ  支柱
１０１    建物
１０２，２０２  バルコニー  
１０９，１１０  手摺り
【図１】
0005666212.tif 000002
【図２】
0005666212.tif 000003
【図３】
0005666212.tif 000004
【図４】
0005666212.tif 000005
【図５】
0005666212.tif 000006
【図６】
0005666212.tif 000007
【図７】
0005666212.tif 000008
【図８】
0005666212.tif 000009
【図９】
0005666212.tif 000010
【図１０】
0005666212.tif 000011
【図１１】
0005666212.tif 000012
【図１２】
0005666212.tif 000013
【図１３】
0005666212.tif 000014
【図１４】
0005666212.tif 000015
【図１５】
0005666212.tif 000016
【図１６】
0005666212.tif 000017
【図１７】
0005666212.tif 000018
【図１８】
0005666212.tif 000019
【図１９】
0005666212.tif 000020
【図２０】
0005666212.tif 000021
【図２１】
0005666212.tif 000022
【図２２】
0005666212.tif 000023
【図２３】
0005666212.tif 000024
【図２４】
0005666212.tif 000025
【図２５】
0005666212.tif 000026
【図２６】
0005666212.tif 000027
【図２７】
0005666212.tif 000028
【図２８】
0005666212.tif 000029
【図２９】
0005666212.tif 000030
【図３０】
0005666212.tif 000031
【図３１】
0005666212.tif 000032